(57)【要約】【課題】聞き取り易い呼び出し音を出力することができる通信装置を提供する。【解決手段】通信装置１０は、着信検出部２４、マイク３０、ノイズ解析部３１、制御部２１及びスピーカ３２を備える。着信検出部２４は、公衆回線５１からの着信信号を検出する。マイク３０はノイズを検出する。ノイズ解析部３１は、検出されたノイズについて複数に区分された周波数の帯域毎のノイズレベルを解析して解析結果を出力する。制御部２１は、予め設定された複数の周波数のうち解析結果に基づいてノイズレベルが最も小さい帯域に近いと判定された周波数を、着信信号の検出を知らせる呼び出し音の音情報として設定し、着信検出部２４で着信信号を検出した際に音情報に基づく着呼コマンドを出力する。スピーカ３２は、着呼コマンドに基づいて呼び出し音を出力する。【選択図】図１
2009194466.tif 000002
【特許請求の範囲】
【請求項１】
公衆回線からの着信信号を検出する着信検出部と、
ノイズを検出するノイズ検出部と、
検出されたノイズについて複数に区分された周波数の帯域毎のノイズレベルを解析して解析結果を出力するノイズ解析部と、
予め設定された複数の周波数のうち前記解析結果に基づいてノイズレベルが最も小さい帯域に近いと判定された周波数を、着信信号の検出を知らせる呼び出し音の音情報として設定し、前記着信検出部で着信信号を検出した際に前記音情報に基づく着呼コマンドを出力する制御部と、
前記着呼コマンドに基づいて呼び出し音を出力する出力部と、を備える通信装置。
【請求項２】
前記音情報は音量に関する情報をさらに含み、
前記制御部は、最もノイズレベルが大きい帯域のノイズレベルが大きいほど大きい音量を前記音情報として設定する請求項１に記載の通信装置。
【請求項３】
前記音情報はケーデンスに関する情報をさらに含み、
前記制御部は、予め設定された複数のケーデンスのうち、前記音情報として設定された音量が所定値以上の場合はオン時間が長いケーデンスほど優先し、前記音情報として設定された音量が所定値未満の場合はオン時間が短いケーデンスほど優先して前記音情報として設定する請求項１又は２に記載の通信装置。
【請求項４】
時間情報を出力するタイマをさらに備え、
前記制御部は、予め設定された時期に、検出されたノイズについての解析結果に基づいて前記音情報を設定する請求項１から３のいずれかに記載の通信装置。
【請求項５】
前記制御部は、周波数、音量、及びケーデンスの組み合わせに係る複数の音情報候補を記憶し、前記複数の音情報候補を予め設定された順に表示する表示データを出力し、
前記表示データに基づいて表示する表示部と、
前記複数の音情報候補の中から選択された音情報候補を前記音情報として設定する入力を受け付ける入力部と、をさらに備える請求項１に記載の通信装置。
【請求項６】
前記制御部は、周波数、音量、及びケーデンスの組み合わせに係る複数の音情報候補、及び、前記解析結果と前記複数の音情報候補の優先順位との関係を記憶し、前記優先順位の高い順に表示する表示データを出力し、
前記表示データに基づいて表示する表示部と、
前記複数の音情報候補の中から選択された音情報候補を前記音情報として設定する入力を受け付ける入力部と、をさらに備える請求項１に記載の通信装置。
【請求項７】
前記制御部は、予め設定された複数の周波数のうちノイズレベルが小さい帯域に対応する周波数から順に優先し、最もノイズレベルが大きい帯域のノイズレベルが大きいほど大きい音量を優先し、及び予め設定された複数のケーデンスのうち前記音情報として設定された音量が所定値以上の場合はオン時間が長いケーデンスほど優先して前記音情報として設定された音量が所定値未満の場合はオン時間が短いケーデンスほど優先する請求項６に記載の通信装置。
【請求項８】
前記複数の音情報候補のそれぞれに基づく呼び出し音を試聴する旨の入力を受け付ける試聴入力部をさらに備える請求項５から７のいずれかに記載の通信装置。
【請求項９】
公衆回線に接続される親機と、前記親機との間で通信可能な子機とを備え、
前記制御部は、前記音情報を前記子機の呼び出し音の音情報として設定し、
前記親機は、前記子機との間で通信する親機通信部、前記着信検出部、前記ノイズ検出部、前記ノイズ解析部、前記制御部、及び前記出力部を有し、
前記子機は、前記親機との間で通信する子機通信部、及び前記音情報に基づく呼び出し音を出力する子機出力部を有する請求項１から８のいずれかに記載の通信装置。
【請求項１０】
前記子機は、ノイズを検出する子機ノイズ検出部をさらに備え、
前記ノイズ解析部は、前記子機ノイズ検出部で検出されたノイズについての解析結果を出力する請求項９に記載の通信装置。
【請求項１１】
前記子機を複数備え、
前記ノイズ解析部は、複数の前記子機のうちの特定の子機の子機ノイズ検出部で検出されたノイズについての解析結果を出力し、
前記制御部は、複数の前記子機の全てに前記音情報を出力する請求項１０に記載の通信装置。
【請求項１２】
前記制御部は、複数の前記子機のそれぞれの子機ノイズ検出部で検出されたノイズについての複数の解析結果の中で、複数の帯域のうち最もノイズレベルが大きい帯域のノイズレベル同士を比較し、ノイズレベルが最も大きいノイズについての解析結果を用いる請求項１１に記載の通信装置。
【発明の詳細な説明】
【技術分野】
【０００１】
この発明は、着信信号を検出した際に呼び出し音を出力する通信装置に関する。
【背景技術】
【０００２】
ファクシミリ装置等の通信装置は、公衆回線からの着信信号を検出すると、着信信号を検出したことをユーザに知らせるために、呼び出し音を出力するのが一般的である。このような通信装置の中には、呼び出し音の音量を調整できるものがある。また、時間帯毎に音量を設定する技術も知られている（例えば、特許文献１参照。）。この技術によれば、静かな時間帯には音量を下げ、ノイズが大きい時間帯には音量を上げるように設定することができる。
【特許文献１】特開平２−１２４６６３号公報
【発明の開示】
【発明が解決しようとする課題】
【０００３】
しかし、通信装置は、オフィスや工場等、様々な環境の中に配置されるものである。ノイズは、環境によって、音量のみではなく周波数も異なる。ノイズの音量が大きい環境下で呼び出し音の音量を上げたとしても、ノイズの周波数と呼び出し音の周波数とが近似していれば、呼び出し音がノイズと識別困難となり、呼び出し音はユーザにとって聞き取り難いものとなる。
【０００４】
この発明の目的は、聞き取り易い呼び出し音を出力することができる通信装置を提供することにある。
【課題を解決するための手段】
【０００５】
この発明の通信装置は、着信検出部、ノイズ検出部、ノイズ解析部、制御部、及び出力部を備える。着信検出部は、公衆回線からの着信信号を検出する。ノイズ検出部は、ノイズを検出する。ノイズ解析部は、検出されたノイズについて複数に区分された周波数の帯域毎のノイズレベルを解析して解析結果を出力する。制御部は、予め設定された複数の周波数のうち解析結果に基づいてノイズレベルが最も小さい帯域に近いと判定された周波数を、着信信号の検出を知らせる呼び出し音の音情報として設定し、着信検出部で着信信号を検出した際に音情報に基づく着呼コマンドを出力する。出力部は、着呼コマンドに基づいて呼び出し音を出力する。
【０００６】
この構成では、着信信号が検出された際に、ノイズレベルが最も小さい周波数の呼び出し音が出力される。このため、呼び出し音がノイズと識別されやすくなり、音量を抑えた場合でも呼び出し音がノイズにかき消されることなく、容易に聞き取られる。
【０００７】
また、音情報は音量に関する情報をさらに含み、制御部は、最もノイズレベルが大きい帯域のノイズレベルが大きいほど大きい音量を音情報として設定するように構成されていてもよい。ノイズレベルが大きい場合は音量が大きく設定されるので、より聞き取り易い呼び出し音が出力される。
【０００８】
さらに、音情報はケーデンスに関する情報をさらに含み、制御部は、予め設定された複数のケーデンスのうち、音情報として設定された音量が所定値以上の場合はオン時間が長いケーデンスほど優先し、音情報として設定された音量が所定値未満の場合はオン時間が短いケーデンスほど優先して音情報として設定するように構成されていてもよい。ノイズレベルが大きく、音量が大きく設定された場合は、オン時間が長いケーデンスに設定されるので、呼び出し音がより聞き取り易くなる。また、ノイズレベルが小さく、音量が小さく設定された場合は、オン時間が短いケーデンスに設定されるので、静けさが壊される不快感を抑えることができる。
【０００９】
また、時間情報を出力するタイマをさらに備え、制御部は、予め設定された時期に、検出されたノイズについての解析結果に基づいて音情報を設定するように構成されていてもよい。ノイズに関する環境は、曜日や時間帯によって異なるのが一般的であるが、予め設定された時期に音情報を設定し直すことで、任意の時期の環境に応じて、より聞き取り易い呼び出し音が出力される。また、複数の時期を設定しておくことで、複数の時期毎の環境に応じて、より聞き取り易い呼び出し音が出力される。
【００１０】
さらに、制御部は、周波数、音量、及びケーデンスの組み合わせに係る複数の音情報候補を記憶し、複数の音情報候補を予め設定された順に表示する表示データを出力し、表示データに基づいて表示する表示部と、複数の音情報候補の中から選択された音情報候補を音情報として設定する入力を受け付ける入力部と、をさらに備えていてもよい。予め設定された順に音情報候補が表示されるので、ユーザの好みの呼び出し音が容易に出力される。
【００１１】
また、制御部は、周波数、音量、及びケーデンスの組み合わせに係る複数の音情報候補、及び、解析結果と複数の音情報候補の優先順位との関係を記憶し、優先順位の高い順に表示する表示データを出力し、表示データに基づいて表示する表示部と、複数の音情報候補の中から選択された音情報候補を音情報として設定する入力を受け付ける入力部と、をさらに備えていてもよい。解析結果に応じた優先順位で音情報候補が表示されるので、環境に応じて聞き取りやすい呼び出し音が容易に出力される。
【００１２】
さらに、制御部は、予め設定された複数の周波数のうちノイズレベルが小さい帯域に対応する周波数から順に優先し、最もノイズレベルが大きい帯域のノイズレベルが大きいほど大きい音量を優先し、及び予め設定された複数のケーデンスのうち音情報として設定された音量が所定値以上の場合はオン時間が長いケーデンスほど優先して音情報として設定された音量が所定値未満の場合はオン時間が短いケーデンスほど優先するように構成されていてもよい。ノイズレベルが小さい周波数、ノイズレベルに応じた音量、及び設定された音量に応じたケーデンスの音情報が優先的に表示されるので、環境に応じて聞き取り易い呼び出し音が容易に出力される。
【００１３】
また、複数の音情報候補のそれぞれに基づく呼び出し音を試聴する旨の入力を受け付ける試聴入力部をさらに備えていてもよい。呼び出し音を試聴することで、好みの呼び出し音が迅速かつ容易に出力される。
【００１４】
さらに、公衆回線に接続される親機と、親機との間で通信可能な子機とを備え、制御部は、音情報を子機の呼び出し音の音情報として設定し、親機は、子機との間で通信する親機通信部、着信検出部、ノイズ検出部、ノイズ解析部、制御部、及び出力部を有し、子機は、親機との間で通信する子機通信部、及び音情報に基づく呼び出し音を出力する子機出力部を有するように構成されていてもよい。親機で設定された音情報が子機にも設定されるので、子機からも聞き取り易い呼び出し音が出力される。
【００１５】
子機は、ノイズを検出する子機ノイズ検出部をさらに備え、ノイズ解析部は、子機ノイズ検出部で検出されたノイズについての解析結果を出力するように構成されていてもよい。親機よりもユーザの近傍に配置された子機からノイズを検出することで、より環境に応じて聞き取り易い呼び出し音が出力される。
【００１６】
子機を複数備え、ノイズ解析部は、複数の子機のうちの特定の子機の子機ノイズ検出部で検出されたノイズについての解析結果を出力し、制御部は、複数の子機の全てに音情報を出力するように構成されていてもよい。子機が複数ある場合に、ユーザの近傍にあることが最も多い子機等、特定の子機からノイズを検出することで、より環境に応じて聞き取り易い呼び出し音が出力される。
【００１７】
制御部は、複数の子機のそれぞれの子機ノイズ検出部で検出されたノイズについての複数の解析結果の中で、複数の帯域のうち最もノイズレベルが大きい帯域のノイズレベル同士を比較し、ノイズレベルが最も大きいノイズについての解析結果を用いるように構成されていてもよい。ノイズレベルが最も大きいノイズについての解析結果が用いられるので、より確実に聞き取り易い呼び出し音が出力される。
【発明の効果】
【００１８】
この発明によれば、ノイズレベルが最も小さい周波数の呼び出し音を出力することで、ノイズと識別されやすく聞き取り易い呼び出し音を出力することができる。また、ユーザが自らの感覚で呼び出し音が聞き取り易くなる周波数を設定する場合よりも、呼び出し音の音情報を迅速かつ容易に設定することができる。
【発明を実施するための最良の形態】
【００１９】
以下に、この発明を実施するための最良の形態について、図面に基づいて説明する。図１は、この発明の実施形態に係る通信装置１０の親機２０の構成を示すブロック図である。図２は、子機４０の構成を示すブロック図である。
【００２０】
通信装置１０は、この実施形態ではファクシミリ装置であって、親機２０を備えている。この実施形態では、１個の親機２０の他に、複数個の子機４０を備えている場合について説明する。複数個の子機４０のそれぞれは、互いに同様に構成され、親機２０との間で通信可能である。
【００２１】
親機２０は、制御部２１、回線制御部２２、モデム２３、着信検出部２４、画像メモリ２５、スキャナ部２６、画像形成部２７、表示入力部２８、テンキー２９、マイク３０、ノイズ解析部３１、スピーカ３２、スピーカ制御部３３、タイマ３４、及び通信部３５を有している。制御部２１は、親機２０の動作を統括的に制御している。マイク３０はこの発明のノイズ検出部に相当する。スピーカ３２及びスピーカ制御部３３はこの発明の出力部に相当する。通信部３５はこの発明の親機通信部に相当する。表示入力部２８はこの発明の表示部に該当する。表示入力部２８及びテンキー２９はこの発明の入力部に該当する。
【００２２】
回線制御部２２及び着信検出部２４は、局線等の公衆回線５１に接続されている。モデム２３は、回線制御部２２と制御部２１との間に接続されている。着信検出部２４は、公衆回線５１からの着信信号を検出すると、着信信号を検出した旨の検出結果を制御部２１へ出力する。
【００２３】
制御部２１は、呼び出し音の音情報を記憶している。音情報は、音量、周波数、及びケーデンス（cadence）のそれぞれに関する情報を含む。周波数によって、呼び出し音の音色が調整される。ケーデンスは、呼び出し音が出力されるオン時間Ｔ−ＯＮと呼び出し音が出力されないオフ時間Ｔ−ＯＦＦとの組み合わせによって設定される。
【００２４】
制御部２１は、着信検出部２４で着信信号が検出されると、設定されている音情報に基づいて、時間制御コマンドＴＣ及びボリューム制御コマンドＶＣを、スピーカ制御部３３へ出力する。時間制御コマンドＴＣは、スピーカから出力される呼び出し音のオンとオフとを切り換えるコマンドである。ボリューム制御コマンドは、呼び出し音の音量を設定するコマンドである。時間制御コマンドＴＣ及びボリューム制御コマンドＶＣは、この発明の着呼コマンドに相当する。
【００２５】
スピーカ制御部３３は、制御部２１から入力された時間制御コマンドＴＣ及びボリューム制御コマンドＶＣに基づくスピーカ電圧ＳＶを、スピーカ３２へ印加する。スピーカ３２は、印加されたスピーカ電圧ＳＶに基づく呼び出し音を出力する。
【００２６】
制御部２１は、時間制御コマンドＴＣ及びボリューム制御コマンドＶＣを所定時間出力すると、スピーカ制御部３３への時間制御コマンドＴＣ及びボリューム制御コマンドＶＣの出力を停止し、モデム２３を通じて着信信号を捕捉するために、回線制御部２２に回線を閉結させる。回線が閉結されると、モデムによって着信信号が受信される。
【００２７】
着信信号には画像データが含まれ、画像データは画像メモリ２５に記憶される。画像形成部２７は、例えば電子写真方式の画像形成工程を経て、画像データに基づく画像を用紙等の記録媒体に形成する。
【００２８】
スキャナ部２６は、原稿の画像を読み取って画像データを取得する。画像データは、一旦画像メモリ２５に記憶された後、モデム２３及び公衆回線５１を介して所望の相手先機器へ送信される。
【００２９】
表示入力部２８として、この実施形態では液晶タッチパネルが用いられている。表示入力部２８は、制御部２１から出力される表示データに基づいて、音情報を設定するための設定画面等の種々の情報を表示する。また、表示入力部２８は、ユーザによる入力を受け付けることもできる。
【００３０】
テンキー２９は、例えば、０〜９の整数に対応した１０個のキーを含み、ユーザによる入力を受け付ける。タイマ３４は、制御部２１へ日時を含む時間情報を出力する。通信部３５は、子機４０のそれぞれとの間で、無線通信を行う。
【００３１】
マイク３０は、親機２０が配置された環境におけるノイズを検出し、ノイズ解析部３１へ出力する。ノイズ解析部３１は、入力されたノイズについて、後述するような解析を行い、解析結果を制御部２１へ出力する。制御部２１は、解析結果に基づいて呼び出し音の音情報を設定する。
【００３２】
図２に示すように、子機４０は、子機制御部４１、子機表示部４２、子機テンキー４３、子機マイク４４、子機ノイズ解析部４５、子機スピーカ４６、子機スピーカ制御部４７、及び子機通信部４８を有している。子機制御部４１は、子機４０の動作を統括的に制御している。子機マイク４４はこの発明の子機ノイズ検出部に相当する。子機スピーカ４６及び子機スピーカ制御部４７はこの発明の子機出力部に相当する。
【００３３】
子機テンキー４３は、例えば、０〜９の整数に対応した１０個のキーを含む子機用の入力部であって、ユーザによるダイヤル番号等の入力を受け付ける。子機表示部４２は、子機テンキー４３から入力されたダイヤル番号等の種々の情報を表示する。子機通信部４８は、親機２０との間で、音声データ、呼び出し音の音情報、及び制御コマンドの無線通信を行う。
【００３４】
子機制御部４１は、呼び出し音の音情報を記憶している。子機通信部４８から着信信号の検出を知らせる制御コマンドを受信すると、子機制御部４１は、設定されている音情報に基づいて、時間制御コマンドＴＣ及びボリューム制御コマンドＶＣを、子機スピーカ制御部４７へ出力する。子機スピーカ制御部４７は、子機制御部４１から入力された時間制御コマンドＴＣ及びボリューム制御コマンドＶＣに基づくスピーカ電圧ＳＶを、子機スピーカ４６へ印加する。子機スピーカ４６は、印加されたスピーカ電圧ＳＶに基づく呼び出し音を出力する。
【００３５】
子機マイク４４は、電話として通話する際に音声データを取得する他に、子機４０が配置された環境におけるノイズを検出して子機ノイズ解析部４５へ出力する。子機ノイズ解析部４５は、必要に応じて、入力されたノイズについて、後述するような解析を行い、解析結果を子機制御部４１へ出力する。子機制御部４１は、必要に応じて、子機通信部４８を介して親機２０の制御部２１へ解析結果を送信する。
【００３６】
制御部２１は、親機２０のマイク３０で検出されたノイズ、及び、複数の子機４０のいずれかの子機マイク４４で検出されたノイズのうち、いずれかのノイズに基づく解析結果を用いて呼び出し音の音情報を設定する。マイク３０及び子機マイク４４のうちいずれのマイクから検出されたノイズについての解析結果を用いるかは、ユーザによって設定される。制御部２１は、ノイズの検出先として設定された親機２０又は子機４０のみから解析結果を取得することが好ましい。この実施形態では、親機２０のマイク３０で検出されたノイズについての解析結果に基づいて音情報が設定される。
【００３７】
制御部２１は、親機２０に設定した音情報を子機制御部４１へ送信する。子機制御部４１は、親機２０から受信した音情報を記憶し、この音情報に基づいて子機４０の呼び出し音を子機スピーカ４６に出力させる。
【００３８】
図３は、スピーカ３２から出力する呼び出し音の、音量、周波数、及びケーデンスの制御についての説明図であって、（Ａ）は時間制御コマンドＴＣを示し、（Ｂ）はボリューム制御コマンドＶＣを示し、（Ｃ）はスピーカ電圧ＳＶを示す。子機スピーカ４６から出力する呼び出し音についても同様である。
【００３９】
上述のように、音情報は、音量、周波数、及びケーデンスのそれぞれに関する情報を含む。制御部２１は、スピーカ制御部３３へ、時間制御コマンドＴＣ及びボリューム制御コマンドＶＣを出力する。
【００４０】
制御部２１から時間制御コマンドＴＣとして１が入力されると、スピーカ制御部３３は、スピーカ３２へ所定のスピーカ電圧ＳＶを印加する。呼び出し音の音色を決めるスピーカ電圧ＳＶの周波数は、時間制御コマンドＴＣとして１と０とが入力される周期Ｔ１によって調整される。
【００４１】
ケーデンスは、時間制御コマンドＴＣとして１と０とが交互に出力されるオン時間Ｔ−ＯＮと、時間制御コマンドＴＣとして０が出力され続けるオフ時間Ｔ−ＯＦＦとの時間の長さによって調整される。
【００４２】
スピーカ制御部３３は、ボリューム制御コマンドＶＣとして１が入力されると、ボリューム制御コマンドＶＣとして０が入力されていたときの２倍の大きさのスピーカ電圧ＳＶをスピーカ３２へ出力する。このようにして、呼び出し音の音量が、大と小との２段階に切り換えられる。
【００４３】
図４は、制御部２１の処理手順を示すフローチャートである。制御部２１は、予め設定されたノイズの測定日時を記憶している。測定日時として、複数の日時、又は、特定の曜日の複数の時間等を設定することができる。また、測定日時として、測定日、測定開始時間、測定する時間間隔、及び測定終了時間を設定することもできる。測定日時として、例えば、毎週月曜日の０時、６時、１２時、１８時、及び２４時が設定される。
【００４４】
制御部２１は、測定日時になると（Ｓ１）、マイク３０から検出されたノイズについて（Ｓ２）、ノイズ解析部３１で解析を行い（Ｓ３）、解析結果に基づいて音情報を設定する（Ｓ４）。
【００４５】
ここで、音情報の設定方法について説明する。図５は、ノイズの解析結果の一例であり、図６は、呼び出し音の種類の一例である。
【００４６】
この実施形態では、音量として、大と小との２段階の音量を設定可能である。周波数として、１０００Ｈｚ、２０００Ｈｚ、又は３０００Ｈｚを設定可能である。ケーデンスとして、オン時間Ｔ−ＯＮ＝１秒かつオフ時間Ｔ−ＯＦＦ＝２秒のタイプ１、オン時間Ｔ−ＯＮ＝０．５秒かつオフ時間Ｔ−ＯＦＦ＝２．５のタイプ２、又は、オン時間Ｔ−ＯＮ＝０．２５秒かつオフ時間Ｔ−ＯＦＦ＝２．７５秒のタイプ３を設定可能である。
【００４７】
制御部２１は、音量、周波数、及びケーデンスの組み合わせに係る複数の音情報候補を予め記憶している。例えば、制御部２１は、図６に示すように１８個の音情報候補を記憶している。制御部２１は、ノイズの解析結果に基づいて、以下に示すような法則の下に音情報候補の優先順位を決める。この法則は、ノイズの解析結果と音情報候補の優先順位との関係に相当する。
【００４８】
ノイズ解析部３１は、マイク３０で検出したノイズについて、複数に区分された周波数の帯域毎のノイズレベル（ノイズの音量）を取得する。この実施形態では、図５に示すように、周波数は７個の帯域に区分されている。
【００４９】
制御部２１は、７個の帯域のうち、最もノイズレベルが大きい帯域と、最もノイズレベルが小さい帯域とを特定する。図５に示す例では、４番の帯域のノイズレベルが最大で、２番の帯域のノイズレベルが最小である。
【００５０】
制御部２１は、解析結果に基づいて、最もノイズレベルが大きい帯域（Ｎｏ．４）のノイズレベルが大きいほど、大きい音量を音情報として優先する。この実施形態では、音量を大と小との２段階に設定可能なので、最もノイズレベルが大きい帯域（Ｎｏ．４）のノイズレベルが所定値以上である場合は、音量として大が優先され、所定値未満である場合は音量として小が優先される。所定値として、例えば−５０ｄＢが設定される。この実施形態では、制御部２１は、音量として大を優先する。
【００５１】
制御部２１は、予め設定された複数の周波数１０００Ｈｚ、２０００Ｈｚ、３０００Ｈｚのうち、解析結果に基づいてノイズレベルが小さい帯域に対応する周波数から順に優先する。この実施形態では、ノイズレベルが最も小さい帯域（Ｎｏ．２）に近い周波数は１０００Ｈｚと判定され、次にノイズレベルが小さい帯域（Ｎｏ．６）に近い周波数は３０００Ｈｚと判定される。このため、制御部２１は、１０００Ｈｚ、３０００Ｈｚ、２０００Ｈｚの順に優先する。
【００５２】
制御部２１は、予め設定された複数のケーデンスのうち、音情報として設定された音量が所定値以上の場合はオン時間が長いケーデンスほど優先し、音情報として設定された音量が所定値未満の場合はオン時間が短いケーデンスほど優先する。この実施形態では、音量は大又は小の２段階に設定されるので、制御部２１は、音量を大に設定した場合はオン時間が長いケーデンスほど優先し、音量を小に設定した場合はオン時間が短いケーデンスほど優先する。この実施形態では、制御部２１は、音量を大に設定したので、オン時間Ｔ−ＯＮ＝１秒かつオフ時間Ｔ−ＯＦＦ＝２秒のタイプ１、オン時間Ｔ−ＯＮ＝０．５秒かつオフ時間Ｔ−ＯＦＦ＝２．５のタイプ２、オン時間Ｔ−ＯＮ＝０．２５秒かつオフ時間Ｔ−ＯＦＦ＝２．７５秒のタイプ３の順に優先する。
【００５３】
また、制御部２１は、この実施形態では、音量の優先順位、周波数の優先順位、ケーデンスの優先順位の順に、優先する。
【００５４】
例えば、制御部２１は、図６に示すように１８個の音情報候補を予め記憶している。制御部２１は、上述の優先順位に従って、１８個の音情報候補の優先順位を決める。この実施形態では、図６に示すように優先順位が決められる。この実施形態では、制御部２１は、優先順位が１番であるＮｏ．１の音情報候補を音情報として設定する（Ｓ４）。
【００５５】
制御部２１は、着信検出部２４で着信信号を検出すると（Ｓ５）、音情報に基づく時間制御コマンドＴＣ及びボリューム制御コマンドＶＣをスピーカ制御部３３へ出力し、スピーカ制御部３３が時間制御コマンドＴＣ及びボリューム制御コマンドＶＣに基づくスピーカ電圧ＳＶをスピーカ３２へ出力することで、スピーカ３２が音情報に基づく呼び出し音を出力する（Ｓ６）。
【００５６】
制御部２１は、測定日時でない場合は（Ｓ１）、すでに設定されている音情報に基づいて、着信信号を検出した際に（Ｓ５）、呼び出し音を出力させる（Ｓ６）。
【００５７】
通信装置１０によれば、着信信号が検出された際に、ノイズレベルが最も小さい周波数の呼び出し音が出力されるので、呼び出し音がノイズと識別されやすくなり、音量を抑えた場合でも呼び出し音がノイズにかき消されることなく、容易に聞き取られる。
【００５８】
また、ノイズレベルが大きい場合は音量が大きく設定されるので、より聞き取り易い呼び出し音が出力される。さらに、ノイズレベルが大きく、音量が大きく設定された場合は、オン時間が長いケーデンスに設定されるので、呼び出し音がより聞き取り易くなる。また、ノイズレベルが小さく、音量が小さく設定された場合は、オン時間が短いケーデンスに設定されるので、静けさが壊される不快感を抑えることができる。
【００５９】
さらに、ノイズに関する環境は、曜日や時間帯によって異なるのが一般的であるが、予め設定された時期に音情報を設定し直すことで、任意の時期の環境に応じて、より聞き取り易い呼び出し音が出力される。また、複数の時期を設定しておくことで、複数の時期毎の環境に応じて、より聞き取り易い呼び出し音が出力される。
【００６０】
なお、子機４０で検出したノイズについての解析結果を親機２０の制御部２１へ送信し、親機２０の制御部２１で音情報を設定することもできる。
【００６１】
また、子機４０で検出したノイズについての解析結果に基づいて、子機制御部４１が音情報を設定するように構成することもできる。この場合、子機４０で設定した音情報を親機２０へも送信することが好ましい。
【００６２】
図７は、他の実施形態に係る通信装置の制御部の処理手順を示すフローチャートである。この実施形態に係る通信装置は、上述の実施形態に係る通信装置１０と、音情報を複数の音情報候補の中からユーザが選択することを除いて同様に構成されている。説明の便宜上、通信装置１０と同じ符号を用いる。図８及び図９は、親機２０の表示入力部２８に表示される設定画面の一例である。
【００６３】
制御部２１は、表示入力部２８の図示しない設定キーが押下されると（Ｓ１１）、音情報の設定モードへ移行し、マイク３０から検出されたノイズについて（Ｓ１２）、ノイズ解析部３１で解析を行う（Ｓ１３）。
【００６４】
制御部２１は、ノイズの解析結果に基づいて、上述のように音情報候補の優先順位を決定し、表示入力部２８へ表示データを出力することで、表示入力部２８のリスト表示領域６１に、音情報候補を優先順位の高い順にリスト表示する（Ｓ１４）。リスト表示領域６１に同時に全ての音情報候補を表示できない場合、次キー６２が押下される毎に、優先順位が高い順に例えば４個ずつの音情報候補がリスト表示される（Ｓ１６）。図８においてリスト表示領域６１の左端に表示されている丸囲みの番号は、優先順位を示している。
【００６５】
制御部２１は、テンキー２９から優先順位を示す番号が入力されると（Ｓ１７）、入力された番号に対応する音情報候補を音情報として設定する（Ｓ１８）。制御部２１は、表示入力部２８の確認キー６３が押下されると（Ｓ１９）、所定時間、設定された音情報に基づく呼び出し音をスピーカ３２から出力する（Ｓ２０）。確認キー６３はこの発明の試聴入力部に相当する。呼び出し音を試聴することで、好みの呼び出し音が迅速かつ容易に設定される。
【００６６】
制御部２１は、表示入力部２８のＯＫキー６４ではなく（Ｓ２１）、キャンセルキー６５が押下された場合（Ｓ２２）、音情報の設定をやり直すために、次キー６２の押下、又はテンキー２９からの音情報候補の番号の入力を待って待機する。
【００６７】
制御部２１は、Ｓ２１においてＯＫキー６４が押下されると、表示入力部２８に、図９に示すような子機設定確認画面を表示する（Ｓ２３）。
【００６８】
制御部２１は、ここでＯＫキー６６が押下されると（Ｓ２４）、Ｓ１８で親機２０に設定した音情報を、子機制御部４１へ送信する（Ｓ２５）。子機制御部４１は、親機２０から受信した音情報を記憶し、子機４０の呼び出し音の音情報とする。親機２０で設定された音情報が子機４０にも設定されるので、子機４０からも聞き取り易い呼び出し音が出力されるようになる。
【００６９】
制御部２１は、ＯＫキー６６ではなく（Ｓ２４）、終了キー６７が押下された場合（Ｓ２６）、Ｓ１８で親機２０に設定した音情報を、子機制御部４１へは送信せず、音情報の設定モードを終了する。この場合、子機４０の呼び出し音は変更されない。
【００７０】
この実施形態に係る通信装置１０によれば、解析結果に応じた優先順位で音情報候補が表示されるので、環境に応じて聞き取りやすい呼び出し音の音情報が容易に設定される。また、ノイズレベルが小さい周波数、ノイズレベルに応じた音量、及び設定された音量に応じたケーデンスの音情報が優先的に表示されるので、環境に応じて聞き取り易い呼び出し音の音情報が容易に設定される。
【００７１】
なお、親機２０のマイク３０ではなく、子機マイク４４から検出されたノイズについての解析結果に基づいて、音情報を設定することもできる。親機２０よりもユーザの近傍に配置された子機４０から検出されたノイズについての解析結果に基づいて音情報を設定することで、より環境に応じて聞き取り易い呼び出し音が出力されるようになる。
【００７２】
また、複数の子機４０のうち特定の子機４０の子機マイク４４で検出されたノイズについての解析結果に基づいて音情報を設定し、この音情報を親機２０及び全ての子機４０に設定することもできる。子機４０が複数個ある場合に、ユーザの近傍にあることが最も多い子機４０等、特定の子機４０からノイズを検出することで、より環境に応じて聞き取り易い呼び出し音が出力されるようになる。
【００７３】
さらに、複数の子機４０のそれぞれの子機マイク４４で検出されたノイズについての複数の解析結果の中で、複数の帯域のうち最もノイズレベルが大きい帯域のノイズレベル同士を比較し、ノイズレベルが最も大きいノイズについての解析結果に基づいて、親機２０及び全ての子機４０の音情報を設定することもできる。ノイズレベルが最も大きいノイズについての解析結果が用いられるので、より確実に聞き取り易い呼び出し音が出力されるようになる。
【００７４】
また、音情報候補は、ユーザによって予め設定された順に表示させることもできる。これによれば、予め設定された順に音情報候補が表示されるので、ユーザの好みの呼び出し音の音情報が容易に設定される。
【００７５】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７６】
【図１】この発明の実施形態に係る通信装置の親機の構成を示すブロック図である。
【図２】子機の構成を示すブロック図である。
【図３】スピーカから出力する呼び出し音の、音量、周波数、及びケーデンスの制御についての説明図であって、（Ａ）は時間制御コマンドＴＣを示し、（Ｂ）はボリューム制御コマンドＶＣを示し、（Ｃ）はスピーカ電圧ＳＶを示す。
【図４】制御部の処理手順を示すフローチャートである。
【図５】ノイズの解析結果の一例を示す図である。
【図６】呼び出し音の種類の一例を示す図である。
【図７】他の実施形態に係る通信装置の制御部の処理手順を示すフローチャートである。
【図８】親機の表示部に表示される設定画面の一例を示す図である。
【図９】親機の表示部に表示される設定画面の一例を示す図である。
【符号の説明】
【００７７】
１０  通信装置
２０  親機
２１  制御部
２４  着信検出部
２８  表示入力部（表示部、入力部）
２９  テンキー（入力部）
３０  マイク（ノイズ検出部）
３１  ノイズ解析部
３２  スピーカ（出力部）
３３  スピーカ制御部（出力部）
３４  タイマ
３５  通信部（親機通信部）
４０  子機
４１  子機制御部
４２  子機表示部
４３  子機テンキー
４４  子機マイク（子機ノイズ検出部）
４５  子機ノイズ解析部
４６  子機スピーカ（子機出力部）
４７  子機スピーカ制御部（子機出力部）
４８  子機通信部
５１  公衆回線
６３  確認キー（試聴入力部）
ＴＣ  時間制御コマンド（着呼コマンド）
ＶＣ  ボリューム制御コマンド（着呼コマンド）
ＳＶ  スピーカ電圧
【図１】
2009194466.tif 000003
【図２】
2009194466.tif 000004
【図３】
2009194466.tif 000005
【図４】
2009194466.tif 000006
【図５】
2009194466.tif 000007
【図６】
2009194466.tif 000008
【図７】
2009194466.tif 000009
【図８】
2009194466.tif 000010
【図９】
2009194466.tif 000011